(57)【要約】  本願はエアコンの制御方法を提供し、前記エアコンの制御方法は以下のステップを含む。エアコンが空気浄化負荷を起動してから、室内ファンの回転速度を検知し、前記回転速度が既定回転速度より低い時、エアコンの中の空気浄化負荷の電源通電時間と電源切断時間を取得し、前記電源通電時間と電源切断時間に基づいて間欠的に運転するように前記空気浄化負荷を制御する。本願はさらに、エアコン及び記憶媒体を開示する。本願によれば、回転速度が既定回転速度より低い時に、エアコンの中の空気浄化負荷の電源通電時間と電源切断時間を取得して、そして電源通電時間と電源切断時間に基づいて、間欠的に運転するように空気浄化負荷を制御して、空気浄化負荷が長期間運転することによって壁面が黒くなる現象の発生を避けて、ほこりを適時にフィルタ上に吸着できるようにして、エアコンの使用効果を向上させる。【選択図】図２
2021532331.tif 000002
【特許請求の範囲】
【請求項１】
エアコンが空気浄化負荷を起動して、室内ファンの回転速度を検知するステップと、
前記回転速度が既定回転速度より低いとき、エアコンの中の空気浄化負荷の電源通電時間と電源切断時間を取得するステップと、
前記電源通電時間と電源切断時間に基づいて間欠的に運転するように、前記空気浄化負荷を制御するステップと、を含む
エアコンの制御方法。
【請求項２】
エアコンの中の空気浄化負荷の電源通電時間と電源切断時間を取得する前記ステップは、
前記回転速度に基づいて前記空気浄化負荷の電源通電時間と電源切断時間を取得するステップを含み、ここで、前記回転速度が大きいほど前記電源通電時間が長い、
請求項１に記載のエアコンの制御方法。
【請求項３】
前記回転速度に基づいて前記空気浄化負荷の電源通電時間と電源切断時間を取得する前記ステップは、
前記回転速度が属する回転速度区間を確定するステップと、
前記回転速度区間に基づいて前記空気浄化負荷の電源通電時間と電源切断時間を確定するステップと、を含む
請求項２に記載のエアコンの制御方法。
【請求項４】
エアコンの中の空気浄化負荷の電源通電時間と電源切断時間を取得する前記ステップはさらに、
エアコンが置かれている室内環境の湿度を取得するステップと、
前記湿度が既定湿度より大きいとき、前記回転速度に基づいて前記空気浄化負荷の電源通電時間と電源切断時間を取得するステップを実行するステップと、を含む
請求項２に記載のエアコンの制御方法。
【請求項５】
エアコンが置かれている室内環境の湿度を取得する前記ステップの後に、エアコンの中の空気浄化負荷の電源通電時間と電源切断時間を取得する前記ステップはさらに、
前記湿度が既定湿度より小さいとき、前記湿度に基づいて調節係数を取得するステップと、
前記回転速度に基づいて電源通電時間と電源切断時間を取得して、前記調節係数に基づいて前記電源通電時間と電源切断時間を調整するステップと、
調整後の前記電源通電時間と電源切断時間を前記空気浄化負荷の電源通電時間と電源切断時間とするステップと、を含む
請求項４に記載のエアコンの制御方法。
【請求項６】
室内ファンの回転速度を検知する前記ステップの後に、前記エアコンの制御方法はさらに、
前記回転速度が既定回転速度より高いとき、前記空気浄化負荷を連続的に運転させるステップを含む
請求項１に記載のエアコンの制御方法。
【請求項７】
前記エアコンの制御方法はさらに、
前記回転速度が既定回転速度より高いとき、エアコンが置かれている室内環境の湿度を取得するステップと、
前記湿度が既定湿度より高いとき、前記空気浄化負荷を連続的に運転させるステップと、を含む
請求項６に記載のエアコンの制御方法。
【請求項８】
エアコンが置かれている室内環境の湿度を取得する前記ステップはさらに、
前記湿度が既定湿度より小さいとき、前記湿度に基づいて前記空気浄化負荷の電源通電時間と電源切断時間を取得するステップを含み、ここで、前記湿度が高いほど前記電源通電時間が長い、
請求項７に記載のエアコンの制御方法。
【請求項９】
前記エアコンの制御方法はさらに、
前記回転速度が既定回転速度より高いとき、エアコンが置かれている室内環境の汚染濃度を取得するステップと、
前記汚染濃度が既定汚染濃度より大きいとき、空気浄化負荷を連続的に運転させるステップと、を含む
請求項６に記載のエアコンの制御方法。
【請求項１０】
エアコンが置かれている室内環境の汚染濃度を取得する前記ステップの後に、さらに、
前記汚染濃度が既定汚染濃度より小さいとき、前記汚染濃度に基づいて前記空気浄化負荷の電源通電時間と電源切断時間を取得するステップを含み、ここで、前記汚染濃度が大きいほど前記電源通電時間が長い、
請求項９に記載のエアコンの制御方法。
【請求項１１】
エアコンが空気浄化負荷を起動して、エアコンが置かれている室内環境の湿度を取得するステップと、
前記湿度が既定湿度より低いとき、エアコンの中の空気浄化負荷の電源通電時間と電源切断時間を取得するステップと、
前記電源通電時間と電源切断時間に基づいて間欠的に運転するように、前記空気浄化負荷を制御するステップと、を含む
エアコンの制御方法。
【請求項１２】
エアコンの中の空気浄化負荷の電源通電時間と電源切断時間を取得する前記ステップは、
前記湿度に基づいて前記空気浄化負荷の電源通電時間と電源切断時間を取得するステップを含み、ここで、前記湿度が大きいほど前記電源通電時間が長い、
請求項１１に記載のエアコンの制御方法。
【請求項１３】
前記湿度に基づいて前記空気浄化負荷の電源通電時間と電源切断時間を取得する前記ステップは、
前記湿度が属する湿度区間を確定するステップと、
前記湿度区間に基づいて前記空気浄化負荷の電源通電時間と電源切断時間を確定するステップと、を含む
請求項１２に記載のエアコンの制御方法。
【請求項１４】
エアコンが置かれている室内環境の湿度を取得する前記ステップの後に、前記エアコンの制御方法はさらに、
前記湿度が既定湿度より大きいとき、前記空気浄化負荷を連続的に運転させるステップを含む
請求項１１に記載のエアコンの制御方法。
【請求項１５】
前記電源通電時間と電源切断時間に基づいて間欠的に運転するように前記空気浄化負荷を制御する前記ステップの後に、前記エアコンの制御方法はさらに、
エアコンが置かれている室内の汚染濃度を取得するステップと、
前記汚染濃度が既定汚染濃度より大きいとき、前記エアコンの加湿装置を運転するように制御して、エアコンが置かれている環境の湿度を取得するステップと、
前記湿度が前記既定湿度より高いとき、前記空気浄化負荷を連続的に運転させる前記ステップを実行するステップと、を含む
請求項１４に記載のエアコンの制御方法。
【請求項１６】
エアコンの中の空気浄化負荷の電源通電時間と電源切断時間を取得する前記ステップはさらに、
室内ファンの回転速度を検知するステップと、
前記回転速度が既定回転速度より小さいとき、前記回転速度に基づいて調節係数を取得するステップと、
前記湿度に基づいて電源通電時間と電源切断時間を取得して、前記調節係数に基づいて前記電源通電時間と電源切断時間を調整するステップと、
調整後の前記電源通電時間と電源切断時間を前記空気浄化負荷の電源通電時間と電源切断時間とするステップと、を含む
請求項１１に記載のエアコンの制御方法。
【請求項１７】
エアコンの中の空気浄化負荷の電源通電時間と電源切断時間を取得する前記ステップの後に、さらに、
前記回転速度が既定回転速度より大きいとき、前記湿度に基づいて電源通電時間と電源切断時間を取得するステップを含む
請求項１６に記載のエアコンの制御方法。
【請求項１８】
プロセッサー、メモリー及び前記メモリーに記憶されて且つ前記プロセッサー上で実行できるエアコンの制御プログラムを含むエアコンであって、前記エアコンの制御プログラムが前記プロセッサーにより実行された時、
エアコンが空気浄化負荷を起動してから、室内ファンの回転速度を検知するステップと、
前記回転速度が既定回転速度より低いとき、エアコンの中の空気浄化負荷の電源通電時間と電源切断時間を取得するステップと、
前記電源通電時間と電源切断時間に基づいて間欠的に運転するように、前記空気浄化負荷を制御するステップと、を実現する
エアコン。
【請求項１９】
エアコンの制御プログラムが記憶されている記憶媒体であって、前記エアコンの制御プログラムがプロセッサーにより実行されたとき、
エアコンが空気浄化負荷を起動してから、室内ファンの回転速度を検知するステップと、
前記回転速度が既定回転速度より低いとき、エアコンの中の空気浄化負荷の電源通電時間と電源切断時間を取得するステップと、
前記電源通電時間と電源切断時間に基づいて間欠的に運転するように、前記空気浄化負荷を制御するステップと、を実現する
記憶媒体。
【発明の詳細な説明】
【技術分野】
【０００１】
本願は２０１８年８月１３日に出願された、出願番号が２０１８１０９２１０２６．８で、発明名称が「エアコンの制御方法、エアコン及び記憶媒体」である中国特許出願の優先権、及び２０１８年８月１３日に出願された、出願番号が２０１８１０９２１１１７．１で、発明名称が「エアコンの制御方法、エアコン及び記憶媒体」である中国特許出願の優先権を主張し、この二つの中国特許出願の全ての内容を引用により本願に組み入れて参考とする。
【０００２】
本願はエアコンの技術分野に関し、特にエアコンの制御方法、エアコン及び記憶媒体に関する。
【背景技術】
【０００３】
人々の生活では、エアコンは既になくてはならない家電になっており、人々の生活に対する追求に伴って、エアコンが粒子状物質を吸い込んで、室内の空気品質を向上させることが求められる傾向にある。例示的技術において、エアコンが空気清浄モードを起動してから、多くの場合は空気浄化負荷を連続的に運転させることによって空気中のほこり及び粒子状物質を取り除くが、空気浄化負荷を連続的に運転させることは、エネルギーの浪費になるだけではなく、空気負荷装置を長期間起動した状態にすると、周りに大量の浮遊粉塵及び粒子状物質が集まり、エアコンが壁に掛けられている場合、風速が比較的低い時、集まったほこりはエアコンの吸気口において適時にフィルタ上に吸着されることが不可能であるので、空気浄化負荷が長期間運転する場合、壁面が黒くなりやすい。
【発明の概要】
【発明が解決しようとする課題】
【０００４】
本願の主な目的は、エアコンが空気浄化負荷を長期間運転させることで壁が黒くなりやすい問題を解決するための、エアコンの制御方法を提案することにある。
【課題を解決するための手段】
【０００５】
上記目的を実現するために、本願はエアコンの制御方法を提供し、前記エアコンの制御方法は、エアコンが空気浄化負荷を起動して、室内ファンの回転速度を検知するステップと、前記回転速度が既定回転速度より低いとき、エアコンの中の空気浄化負荷の電源通電時間と電源切断時間を取得するステップと、前記電源通電時間と電源切断時間に基づいて間欠的に運転するように、前記空気浄化負荷を制御するステップとを含む。
【０００６】
また、上記目的を実現するために、本願はエアコンの制御方法を提供し、前記エアコンの制御方法は、エアコンが空気浄化負荷を起動して、エアコンが置かれている室内環境の湿度を取得するステップと、前記湿度が既定湿度より低いとき、エアコンの中の空気浄化負荷の電源通電時間と電源切断時間を取得するステップと、前記電源通電時間と電源切断時間に基づいて間欠的に運転するように、前記空気浄化負荷を制御するステップとを含む。
【０００７】
また、上記目的を実現するために、本願はさらにエアコンを提案する。前記エアコンは、プロセッサー、メモリー及び前記メモリーに記憶されて且つ前記プロセッサー上で実行できるエアコンの制御プログラムを含み、前記エアコンの制御プログラムが前記プロセッサーにより実行された時、エアコンが空気浄化負荷を起動して、室内ファンの回転速度を検知するステップと、前記回転速度が既定回転速度より低いとき、エアコンの中の空気浄化負荷の電源通電時間と電源切断時間を取得するステップと、前記電源通電時間と電源切断時間に基づいて間欠的に運転するように、前記空気浄化負荷を制御するステップとを実現する。
【０００８】
上記目的を実現するために、本願はさらにコンピュータ読み取り可能な記憶媒体を提案する。前記コンピュータ読み取り可能な記憶媒体にはエアコンの制御プログラムが記憶されており、前記エアコンの制御プログラムがプロセッサーにより実行されたとき、エアコンが空気浄化負荷を起動して、室内ファンの回転速度を検知するステップと、前記回転速度が既定回転速度より低いとき、エアコンの中の空気浄化負荷の電源通電時間と電源切断時間を取得するステップと、前記電源通電時間と電源切断時間に基づいて間欠的に運転するように前記空気浄化負荷を制御するステップとを実現する。
【０００９】
本願の実施例が提案するエアコンの制御方法、エアコン及び記憶媒体によれば、回転速度が既定回転速度より低い時に、エアコンの中の空気浄化負荷の電源通電時間と電源切断時間を取得して、そして電源通電時間と電源切断時間に基づいて、間欠的に運転するように空気浄化負荷を制御して、空気浄化負荷が長期間運転することによって壁面が黒くなる現象の発生を避けて、ほこりを適時にフィルタ上に吸着できるようにして、エアコンの使用効果を向上させる。
【図面の簡単な説明】
【００１０】
【図１】本願の実施例の案に係るエアコンの端末構造模式図である。
【図２】本願のエアコンの制御方法の第一実施例の流れ模式図である。
【図３】本願のエアコンの制御方法の第二実施例の流れ模式図である。
【図４】本願のエアコンの制御方法の第三実施例の流れ模式図である。
【図５】本願のエアコンの制御方法の第四実施例の流れ模式図である。
【図６】本願のエアコンの制御方法の第五実施例の流れ模式図である。
【図７】本願のエアコンの制御方法の第六実施例の流れ模式図である。
【図８】本願のエアコンの制御方法の第七実施例の流れ模式図である。
【図９】本願のエアコンの制御方法の第八実施例の流れ模式図である。
【図１０】本願のエアコンの制御方法の第九実施例の流れ模式図である。
【発明を実施するための形態】
【００１１】
添付図面を参照して、実施例と組み合わせて本願目的の実現、機能特徴及び長所をさらに説明する。ここで説明する具体的な実施例は本願を解釈するためだけに使われるものであって、本願を限定するために構成されていないことは、理解されるべきである。
【００１２】
本願の実施例の主な解決案は以下になる。エアコンが空気浄化負荷を起動してから、室内ファンの回転速度を検知し、前記回転速度が既定回転速度より低い時、エアコンの中の空気浄化負荷の電源通電時間と電源切断時間を取得し、前記電源通電時間と電源切断時間に基づいて間欠的に運転するように前記空気浄化負荷を制御する。
【００１３】
例示的技術によれば、空気浄化負荷が運転してから、風速が低ければ、集まったほこりは適時にフィルタ上に吸着されることが不可能であるため、空気浄化負荷が長期間運転する時、壁面が黒くなる現象につながりやすい。
【００１４】
本願によれば、回転速度が既定回転速度より低い時、電源通電時間と電源切断時間によって間欠的に運転するように空気浄化負荷を制御して、壁面が黒くなりやすい現象を避ける解決案を提案する。
【００１５】
図１に示すように、図１は本願の実施例の案に係るエアコンの端末構造模式図である。
【００１６】
本願の実施例の端末はエアコンである。
【００１７】
図１に示すように、当該端末は、プロセッサー１００１（例えばＣＰＵ）、メモリー１００２、通信バス１００３及び空気浄化負荷１００４を含んでもよい。通信バス１００３はこれらの部品間の接続及び通信を実現するように構成されている。
【００１８】
メモリー１００２としては高速ＲＡＭメモリーであってもよく、安定したメモリー（ｎｏｎ−ｖｏｌａｔｉｌｅ  ｍｅｍｏｒｙ）、例えば磁気ディスクメモリーでもよい。図１に示すように、一種のコンピュータの記憶媒体としてのメモリー１００２の中には、エアコンの制御プログラムを含んでもよく、一方、プロセッサー１００１はメモリー１００２の中に記憶されているエアコンの制御プログラムを呼び出して、且つ以下の操作を実行するように構成されてもよい。
【００１９】
エアコンが空気浄化負荷を起動して、室内ファンの回転速度を検知し、前記回転速度が既定回転速度より低いとき、エアコンの中の空気浄化負荷の電源通電時間と電源切断時間を取得し、前記電源通電時間と電源切断時間に基づいて間欠的に運転するように前記空気浄化負荷を制御する。
【００２０】
本実施例では、上記案によれば、回転速度が既定回転速度より低い時に、エアコンの中の空気浄化負荷の電源通電時間と電源切断時間を取得して、そして電源通電時間と電源切断時間によって、間欠的に運転するように空気浄化負荷を制御して、空気浄化負荷が長期間運転することによって壁面が黒くなる現象の発生を避けて、ほこりを適時にフィルタ上に吸着できるようにして、エアコンの使用効果を向上させる。
【００２１】
上記ハードウェアアーキテクチャに基づいて、本願のエアコンの制御方法の実施例を提案する。
【００２２】
図２を参照し、本願のエアコンの制御方法の第一実施例の流れ模式図によれば、前記エアコンの制御方法は以下のステップを含む。ステップＳ１０、エアコンが空気浄化負荷を起動してから、室内ファンの回転速度を検知する。本願では、エアコンが正常運転する時に、空気浄化負荷を起動して、空気浄化負荷によってマイナスイオンを発生させて空気中のほこりと粒子状物質を吸着し、浮遊粉塵と粒子状物質が空気浄化負荷のところに集まるようにして、そして空気浄化負荷における浮遊粉塵と粒子状物質をフィルタ上に案内することで、空気を浄化する効果を発揮して、そして室内ファンの回転速度を検知する。
【００２３】
ステップＳ２０、前記回転速度が既定回転速度より低いか否かを判断する。検知した回転速度をシステムの既定回転速度と比較して、前記回転速度と既定回転速度との間の大小関係によって、エアコンに対して相応の制御を行う。例えば、本実施例では、既定回転速度は最大回転速度の８０％段階とすることができ、検知した回転速度を最大回転速度の８０％段階と比較する。
【００２４】
ステップＳ３０、前記回転速度が既定回転速度より低い時、エアコンの中の空気浄化負荷の電源通電時間と電源切断時間を取得する。回転速度が既定回転速度より低い時、この際エアコンの吸気口における風量が比較的小さく、即ち、吸気口における吸引力が比較的小さく、空気浄化負荷が連続的に運転すると、空気浄化負荷に大量の粒子状物質が集まって、吸気口の吸引力が比較的小さい場合では、粒子状物質を適時にフィルタ上に持っていくことが不可能で、壁面が黒くなる現象に繋がりやすいので、エアコンの中の空気浄化負荷を間欠的に運転して、壁面が黒くなりやすい現象を避ける必要がある。室内ファンの回転速度によってエアコンの中の空気浄化負荷の電源通電運転時間と電源切断運転時間を取得して、電源通電時間とは空気浄化負荷の電源を投入して運転する時間であり、電源切断時間とは空気浄化負荷の連続する二回の電源通電運転の間の、作動が停止した時間である。
【００２５】
ステップＳ４０、前記電源通電時間と電源切断時間に基づいて間欠的に運転するように、前記空気浄化負荷を制御する。
【００２６】
取得した電源通電時間と電源切断時間に基づいて間欠的に運転するように空気浄化負荷を制御して、空気浄化負荷が電源通電時間によって運転し、空気浄化負荷が一定時間運転してから、電源切断時間によって作動を停止させる。空気浄化負荷が発生させたマイナスイオンが浮遊粉塵と粒子状物質を空気浄化負荷のところに吸着させるが、この時室内ファンの回転速度が既定回転速度より小さいと、エアコン吸気口の吸引力が比較的小さく、電源通電時間と電源切断時間を経て空気浄化負荷における粒子状物質をフィルタに動かして、浮遊粉塵と粒子状物質が壁面上に付着することによって壁面が黒くなるのを避ける必要がある。
【００２７】
本実施例が提案する技術案において、前記回転速度が既定回転速度より低い時、エアコンの中に設定された空気浄化負荷の電源通電時間と電源切断時間を取得して、かつ電源通電時間と電源切断時間によって間欠的に運転するように空気浄化負荷を制御する。空気浄化負荷が正常に運転する時、空気浄化負荷が発生させたマイナスイオンは空気中の粒子状物質と一緒に集まって、大量の粒子状物質がエアコンの吸気口に集まる。回転速度が既定回転速度より小さい時、この際エアコンの風速も設定された風速より低く、粒子状物質に対する吸引力が比較的小さく、空気浄化負荷に集まった粒子状物質が比較的多い場合、全部適時にフィルタ上に吸着することは不可能である。この際、電源通電時間と電源切断時間によって間欠的に運転するように空気浄化負荷を制御して、空気浄化負荷のところに集まる粒子状物質を減少させて、粒子状物質をすべてエアコンの吸気口からフィルタ上に吸着できるようにして、粒子状物質が壁面上に吸着されて壁面が黒くなる現象を避ける。
【００２８】
図３を参照し、図３は本願のエアコンの制御方法の第二実施例であり、第一実施例に基づいて、前記ステップＳ３０は、前記回転速度に基づいて前記空気浄化負荷の電源通電時間と電源切断時間を取得するステップＳ３１を含み、ここで、前記回転速度が大きいほど前記電源通電時間が長い。
【００２９】
前記回転速度が既定回転速度より小さい時、前記回転速度に基づいて空気浄化負荷の電源通電時間と電源切断時間を取得する。回転速度と電源通電時間との間は一対一対応し、回転速度と電源通電時間との間は直線的な関係を示し、室内ファンの回転速度が大きいほど、空気浄化負荷の電源通電時間が長い。空気浄化負荷の電源切断時間は、室内ファンの回転速度との間でマッピング関係が存在してもよく、空気浄化負荷の間欠的運転の周期から空気浄化負荷の電源通電時間を引くことで得ることもできることは、理解できるであろう。或いは、前記回転速度が属する回転速度区間を確定して、かつ前記回転速度区間に基づいて前記空気浄化負荷の電源通電時間と電源切断時間を確定する。検知した室内ファンの回転速度によって、前記回転速度が属する回転速度区間を判断し、各回転速度区間のいずれにも空気浄化負荷の電源通電時間と電源切断時間が対応しているので、空気浄化負荷の間欠的運転の電源通電時間と電源切断時間が得られ、実現しやすく、室内ファンの回転速度変動で電源通電時間の変化を起こす現象を避ける。
【００３０】
室内ファンの回転速度が空気浄化負荷の間欠的運転に対応する回転速度の下限である時、この際空気浄化負荷の電源通電運転の時間が最も短く、空気浄化負荷の電源通電運転の最短時間はＴｍｉｘ＝Ｔｏｎ＋ｏｆｆ＊ｋ１であり、室内ファンの回転速度が空気浄化負荷の間欠的運転に対応する回転速度の上限である時、この際空気浄化負荷の電源通電運転の時間が最も長く、空気浄化負荷の電源通電運転の最長時間はＴｍａｘ＝Ｔｏｎ＋ｏｆｆ＊ｋ２であり、Ｔｏｎ＋ｏｆｆは空気浄化負荷の間欠的運転の周期であり、ｋ１は０．０１とすることができ、ｋ２は０．８とすることができ、Ｔｏｎ＋ｏｆｆの数値範囲は１０秒から６０秒までの範囲とすることができることは、説明しておく必要がある。Ｔｏｎ＋ｏｆｆは空気浄化負荷の間欠的運転の周期であり、前記周期はシステムに設定された固定値でも、可変値でもよく、前記周期が可変値である場合、先ずは回転速度と周期との間のマッピング関係により空気浄化負荷の間欠的運転の周期を取得して、そしてさらに回転速度より空気浄化負荷と電源通電時間との間のマッピング関係を取得して、空気浄化負荷の電源通電時間を取得することは、理解できるであろう。
【００３１】
回転速度が空気浄化負荷の間欠的運転の回転速度下限より低い時、最短の電源通電運転時間によって運転するように空気浄化負荷を制御することは、説明しておく必要がある。例えば、室内ファンの回転速度が室内ファンの１％段階より低い時、電源通電時間が２ｓ、電源切断時間が１６ｓであるように間欠的に運転するように空気浄化負荷を制御する。
【００３２】
本実施例が提案する技術案において、室内ファンの回転速度によって空気浄化負荷の電源通電時間と電源切断時間を取得するので、間欠的に運転するように空気浄化負荷を制御するのを容易にする。回転速度が既定回転速度より低い、即ち、風速が既定風速より低い時、回転速度によって、間欠的に運転するように空気浄化負荷を制御することで、制御が正確になり、粒子状物質をフィルタ上に吸着できるようにして、粒子状物質を壁面上に吸着することで壁面が黒くなる現象を避ける。
【００３３】
図４を参照し、図４は本願のエアコンの制御方法の第三実施例であり、第二実施例に基づいて、前記ステップＳ３０はさらに、エアコンが置かれている室内環境の湿度を取得するステップＳ３２と、前記湿度が既定湿度より大きいか否かを判断するステップＳ３３とを含み、前記湿度が既定湿度より大きい時、ステップＳ３１を実行し、即ち、前記回転速度に基づいて前記空気浄化負荷の電源通電時間と電源切断時間を取得する。
【００３４】
前記回転速度が既定回転速度より小さい時（例えば、既定回転速度は最大回転速度の８０％段階とすることができる）、エアコンが置かれている室内環境の湿度を取得し、前記湿度とは、空気中の実際の水蒸気圧力と現時点の気温における飽和水蒸気圧力との比の百分率を指す。エアコンの室内熱交換器上に温度センサーを設置することで、エアコンが置かれている室内環境の湿度を取得する。取得した室内環境の湿度を既定の湿度と比較して、室内環境の湿度が既定湿度より大きい時、回転速度によって空気浄化負荷の電源通電時間と電源切断時間を取得する。
【００３５】
本願の実施例において、湿度が既定湿度より大きい時（既定湿度が５０％である）、空気浄化負荷の電源を長期間投入した状態にすることでエネルギー消耗を増大させるのを避けるために、それと同時に、回転速度が低い時、空気浄化負荷に集まる粒子状物質が多すぎると、粒子状物質を適時にフィルタ上に吸着することが不可能であり、壁面が黒くなりやすいので、室内ファンの回転速度に基づいて空気浄化負荷の電源通電時間と電源切断時間を取得して、エアコンのエネルギー消費を減少させて、かつ壁面が黒くなる現象をできるだけ避ける。
【００３６】
図５を参照し、図５は本願のエアコンの制御方法の第四実施例であり、第三実施例に基づいて、前記ステップＳ３３の後に、前記ステップＳ３０のステップはさらに、前記湿度が既定湿度より小さい時、前記湿度に基づいて調節係数を取得するステップＳ３４と、前記回転速度に基づいて電源通電時間と電源切断時間を取得して、前記調節係数に基づいて前記電源通電時間と電源切断時間を調整するステップＳ３５と、調整後の前記電源通電時間と電源切断時間を前記空気浄化負荷の電源通電時間と電源切断時間とするステップＳ３６とを含む。
【００３７】
前記湿度が既定湿度より低い時、この際部屋が比較的乾燥しており、浮遊粉塵と粒子状物質が比較的多くて、この時、湿度に基づいて調節係数を取得する。調節係数と湿度とは一対一対応しているか、或いは調節係数は湿度が属する湿度区間と対応していることは、理解できるであろう。前記回転速度によって空気浄化負荷の電源通電時間を取得した上で調節係数をかけて、調整後の電源通電時間と電源切断時間を空気浄化負荷の電源通電時間と電源切断時間として、かつ前記電源通電時間と電源切断時間で、間欠的に運転するように空気浄化負荷を制御することで、空気浄化負荷がマイナスイオンを少なめに生成するようにして、大量の粒子状物質が空気浄化負荷に集まって壁面が黒くなりやすい現象を避ける。
【００３８】
本願の実施例において、回転速度が既定回転速度より低いことを条件に、エアコンが置かれている室内環境の湿度を取得して、湿度が既定湿度より小さい時、調節係数を取得し、例えば、調節係数は０．３〜０．９の間にある。回転速度によって前記電源通電時間を取得して調節係数をかけることで空気浄化負荷が間欠的に運転する電源通電時間を得て、そして空気浄化負荷が間欠的に運転する周期から調節後の電源通電時間を引くことで、調節後の空気浄化負荷の電源切断時間を得る。つまり、本来の空気浄化負荷の電源通電時間を減衰させ、空気浄化負荷の電源通電時間に対して精確に調節や制御をして、空気浄化負荷の電源通電時間を短縮して、エアコンに隣接する壁が黒くなる可能性を低減させる。
【００３９】
図６を参照し、図６は本願のエアコンの制御方法の第五実施例であり、第一実施例に基づいて、前記ステップＳ２０の後に、前記エアコンの制御方法はさらに、前記回転速度が既定回転速度より高い時、前記空気浄化負荷を連続的に運転させるステップＳ５０を含む。
【００４０】
室内ファンの回転速度が既定回転速度より高い時、この際エアコンの吸気口における吸引力が比較的大きく、空気浄化負荷を連続的に運転させることで集まる大量の浮遊粉塵と粒子状物質はいずれもフィルタ上に持っていくことができ、これにより空気品質を向上させると同時に、壁面が黒くなる可能性を低減させる。前記回転速度が既定回転速度より高い時、さらに以下のステップを含む。エアコンが置かれている室内環境の湿度を取得して、湿度が既定湿度より大きい時、部屋内の粒子状物質が比較的少なく、空気浄化負荷を連続的に運転させてマイナスイオンを発生させることで、浮遊粉塵と粒子状物質をできるだけ速く空気浄化負荷のところに集めて、吸気口の強力な吸引力でフィルタ上に持っていきやすく、湿度が既定湿度より小さい時、室内環境が比較的乾燥しており、浮遊粉塵と粒子状物質は比較的多くて、浮遊粉塵と粒子状物質が大量に空気浄化負荷のところに集まることで壁面が黒くなりやすい現象を避けるために、この際、間欠的に運転するように空気浄化負荷を制御して、かつ湿度に基づいて空気浄化負荷の電源通電時間と電源切断時間を取得して、空気浄化負荷に集まる粒子状物質をフィルタ上に持っていけること保証する。ここで、前記湿度が大きいほど、前記電源通電時間が長い。空気浄化負荷のエネルギー消費を低減させて、大量の粒子状物質の集まりによって壁面が黒くなる現象をできるだけ避ける。
【００４１】
また、室内ファンの回転速度が既定回転速度より高い時、この際エアコンの吸気口における吸引力が比較的大きく、空気浄化負荷を連続的に運転させることで集まる大量の浮遊粉塵と粒子状物質はいずれもフィルタ上に持っていくことができ、これにより空気品質を向上させると同時に、壁面が黒くなる可能性を低減させることは、説明しておく必要がある。前記回転速度が既定回転速度より高い時、さらにエアコンが置かれている室内環境の汚染濃度を取得するステップを含むことは、説明しておく必要がある。前記汚染濃度は室内環境中の粒子状物質の濃度、例えば室内環境のｐｍ２．５の濃度であり、部屋内にｐｍ２．５検知器を設置し、或いはエアコンにｐｍ２．５検知器を設置することで、エアコンが置かれている室内環境の汚染濃度を取得する。汚染濃度が既定汚染濃度より大きい時、この際に、部屋内の粒子状物質が比較的多くて、室内空気の品質を保障するために、この時、空気浄化負荷を連続的に運転させる。空気浄化負荷によりマイナスイオンを発生させて空気中の浮遊粉塵を吸着することで室内環境の空気品質を保障する必要があるが、この時エアコンの吸気口の吸引力が比較的大きいので、粒子状物質が大風量によってフィルタ上に持っていかれることをできるだけ保障して、エアコンが接触する壁面が黒くなりやすい現象を減少させる。汚染濃度が既定汚染濃度より小さい時、この時の部屋の空気品質が悪くないことを示すが、この時に吸気口の吸引力が比較的大きいと、空気浄化負荷に集まる粒子状物質は何れもフィルタ上に持っていくことができるが、この場合、空気浄化負荷を連続的に運転させれば、エアコンのエネルギー消費を増加させてしまうので、この場合、空気浄化負荷を間欠的に運転させる必要がある。室内空気品質と省エネルギーを保証する状況において、汚染濃度に基づいて空気浄化負荷の電源通電時間を取得し、ここで汚染濃度が大きいほど電源通電時間が長い。空気浄化負荷のエネルギー消費を低減させると同時に、エアコンが置かれている環境の粒子状物質を減少させて、かつ粒子状物質が壁面上に拡散することで壁面が黒くなる現象を避ける。
【００４２】
本発明はさらにエアコンの制御方法を提案する。
【００４３】
図７を参照し、図７は本発明のエアコンの制御方法の第六実施例の流れ模式図であり、前記エアコンの制御方法は以下のステップを含む。ステップＳ１００、エアコンが空気浄化負荷を起動してから、エアコンが置かれている室内環境の湿度を取得する。本発明では、エアコンが正常運転する時に、空気浄化負荷を起動して、空気浄化負荷によってマイナスイオンを発生させて空気中のほこりと粒子状物質を吸着し、浮遊粉塵と粒子状物質が空気浄化負荷のところに集まるようにして、そして空気浄化負荷における浮遊粉塵と粒子状物質をフィルタ上に案内することで、空気を浄化する効果を発揮する。そして、エアコンの室内機に湿度センサーを設置することで、エアコンが置かれている室内環境の湿度を取得し、前記湿度とは、空気中の実際の水蒸気圧力と現時点の気温における飽和水蒸気圧力との比の百分率を指す。
【００４４】
ステップＳ２００、前記湿度が既定湿度より低いか否かを判断する。取得した室内環境の湿度をシステムの既定湿度と比較して、湿度と既定湿度との間の大小関係を比較して、そしてエアコンに対して相応の制御を行う。例えば、本実施例では、既定湿度は５０％とすることができ、取得した湿度を５０％と比較して、かつ環境湿度と５０％との間の大小関係を判断する。
【００４５】
ステップＳ３００、前記湿度が既定湿度より低い時、エアコンの中の空気浄化負荷の電源通電時間と電源切断時間を取得する。湿度が既定湿度より低い時、この際エアコン内の空気が比較的乾燥しており、室内の浮遊粉塵や粒子状物質が多くなり、この時空気浄化負荷が連続的に運転すると、空気浄化負荷に大量の粒子状物質が集まって、この場合、集まる粒子状物質を適時にフィルタ上に吸うことが不可能であれば、粒子状物質が壁面へ拡散することになり、壁面が黒くなる現象に繋がりやすいので、この場合、エアコンの中の空気浄化負荷が間欠的に運転して、壁面が黒くなりやすい現象を避ける必要がある。エアコンが置かれている室内環境の湿度に基づいてエアコンの中の空気浄化負荷の電源通電運転時間と電源切断運転時間を取得して、電源通電時間とは空気浄化負荷の電源を投入して運転する時間であり、電源切断時間とは空気浄化負荷の連続する二回の電源通電運転の間の作動が停止した時間である。
【００４６】
ステップＳ４００、前記電源通電時間と電源切断時間に基づいて間欠的に運転するように前記空気浄化負荷を制御する。
【００４７】
湿度が既定湿度より小さい時、室内環境に浮遊粉塵や粒子状物質が発生しやすく、取得した電源通電時間と電源切断時間によって間欠的に運転するように空気浄化負荷を制御して、空気浄化負荷が電源通電時間によって運転し、空気浄化負荷が一定時間運転してから、電源切断時間によって作動を停止させる。空気浄化負荷が発生させたマイナスイオンが浮遊粉塵と粒子状物質を空気浄化負荷のところに吸着させるので、電源通電時間と電源切断時間を経て空気浄化負荷における粒子状物質をフィルタに移動させる必要がある。空気浄化負荷が間欠的に運転することで、大量の粒子状物質が空気浄化負荷のところに集まって適時にフィルタ上に吸着できないことを避ける。例えば、湿度が５０％より低い時、取得した電源通電時間と電源切断時間に基づいて間欠的に運転するように空気浄化負荷を制御する。
【００４８】
本実施例が提案する技術案において、前記湿度が既定湿度より低い時、この時部屋内の浮遊粉塵と粒子状物質は比較的多くて、エアコンの中に設定された空気浄化負荷の電源通電時間と電源切断時間を取得して、かつ電源通電時間と電源切断時間によって間欠的に運転するように空気浄化負荷を制御する。空気浄化負荷が正常に電源を投入して運転する時、空気浄化負荷により発生されたマイナスイオンは空気中の粒子状物質と集まって、空気浄化負荷に比較的多い粒子状物質が集まりやすく、この時、電源通電時間と電源切断時間に基づいて間欠的に運転するように空気浄化負荷を制御する必要がある。電源切断時間の間、空気浄化負荷の作動を停止して、空気浄化負荷のところに集まる粒子状物質を減少させて、空気浄化負荷における少量の粒子状物質が風に伴ってフィルタ上に移動できるようにすることで、粒子状物質が壁面上に吸着されることで壁面が黒くなる現象を避ける。
【００４９】
図８を参照し、図８は本願のエアコンの制御方法の第七実施例であり、第六実施例に基づいて、前記ステップＳ３００は、前記湿度によって前記空気浄化負荷の電源通電時間と電源切断時間を取得するステップＳ３１０を含み、ここで、前記湿度が大きいほど前記電源通電時間が長い。
【００５０】
前記湿度が既定湿度より小さい時、前記湿度に基づいて空気浄化負荷の電源通電時間と電源切断時間を取得し、湿度と電源通電時間との間は一対一対応し、湿度と電源通電時間との間は直線的な関係を示し、室内環境の湿度が大きいほど、空気浄化負荷の電源通電時間が長い。空気浄化負荷の電源切断時間は、室内環境の湿度との間でマッピング関係が存在してもよく、空気浄化負荷の間欠的運転の周期から空気浄化負荷の電源通電時間を引くことで得ることもできることは、理解できるであろう。或いは、前記湿度が属する湿度区間を確定して、かつ前記湿度区間に基づいて前記空気浄化負荷の電源通電時間と電源切断時間を確定する。取得した室内環境の湿度によって、前記湿度が置かれている湿度区間を判断し、各湿度区間のいずれにも空気浄化負荷の電源通電時間と電源切断時間が対応しており、実現しやすく室内環境の湿度変動で電源通電時間の変化を起こす現象を避けて、電源通電時間によって運転するように空気浄化負荷を正確に制御しやすくする。
【００５１】
室内環境の湿度が空気浄化負荷の間欠的運転に対応する湿度の下限である時、この際空気浄化負荷の電源通電運転の時間が最も短く、空気浄化負荷の電源通電運転の最短時間はＴｍｉｘ＝Ｔｏｎ＋ｏｆｆ＊ｋ１であり、室内環境の湿度が空気浄化負荷の間欠的運転に対応する湿度の上限である時、この際空気浄化負荷の電源通電運転の時間が最も長く、空気浄化負荷の電源通電運転の最長時間はＴｍａｘ＝Ｔｏｎ＋ｏｆｆ＊ｋ２であり、Ｔｏｎ＋ｏｆｆは空気浄化負荷の間欠的運転の周期であり、ｋ１は０．２とすることができ、ｋ２は０．８とすることができ、Ｔｏｎ＋ｏｆｆの数値範囲は１０秒から６０秒までの範囲とすることができることは、説明しておく必要がある。Ｔｏｎ＋ｏｆｆは空気浄化負荷の間欠的運転の周期であり、前記周期はシステムに設定された固定値でも、可変値でもよく、前記周期が可変値である場合、先ずは湿度と周期との間のマッピング関係により空気浄化負荷の間欠的運転の周期を取得して、そしてさらに湿度より空気浄化負荷と電源通電時間との間のマッピング関係を取得して、空気浄化負荷の電源通電時間を取得することは、理解できるであろう。
【００５２】
湿度が空気浄化負荷の間欠的運転の湿度下限より低い時、最短の電源通電運転時間によって運転するように空気浄化負荷を制御することは、説明しておく必要がある。例えば、エアコンが置かれている室内の湿度が２０％より低い時、電源通電時間が２ｓ、電源切断時間が１６ｓであるように間欠的に運転するように空気浄化負荷を制御する。
【００５３】
本実施例が提案する技術案において、エアコンが置かれている環境の湿度を取得して空気浄化負荷の電源通電時間と電源切断時間を取得するので、間欠的に運転するように空気浄化負荷を制御するのを容易にする。湿度が既定湿度より低い時、湿度に基づいて、間欠的に運転するように空気浄化負荷を制御することで、制御が正確になり、粒子状物質をフィルタ上に吸着できるようにして、粒子状物質を壁面上に吸着することで壁面が黒くなる現象を避ける。
【００５４】
図９を参照し、図９は本願のエアコンの制御方法の第八実施例であり、第六実施例に基づいて、前記ステップＳ２００の後に、前記エアコンの制御方法はさらに、前記湿度が既定湿度より高い時、前記空気浄化負荷を連続的に運転させるステップＳ５００を含む。
【００５５】
エアコンが置かれている環境の湿度が既定湿度より大きい時、この際に、部屋内の水分が比較的多くて、部屋内に多量の浮遊粉塵粒子状物質が存在することはなく、室内空気品質をさらに向上させるために、この時、空気浄化負荷を連続的に運転させて、空気浄化負荷によりマイナスイオンを発生させて室内空気中の少量の浮遊粉塵粒子状物質を空気浄化負荷のところに集める必要があり、少量の浮遊粉塵粒子状物質はエアコンの中のフィルタのところに移動しやすく、室内空気品質を向上させるとともに、エアコンと接触する箇所の壁面が黒くなる可能性を減少させる。
【００５６】
ここで、ステップＳ４０の後に、前記エアコンの制御方法はさらに、エアコンが置かれているところの室内汚染濃度を取得するステップを含むことは、説明しておく必要がある。前記汚染濃度は室内環境中の粒子状物質の濃度、例えば室内環境のｐｍ２．５の濃度であり、部屋内にｐｍ２．５検知器を設置し、或いはエアコンにｐｍ２．５検知器を設置することで、エアコンが置かれている室内環境の汚染濃度を取得し、汚染濃度が既定濃度より大きい時、部屋内の空気品質が良くないことを示し、この時、エアコンの加湿装置を運転するように制御してかつ空気浄化負荷を間欠的に運転するように制御する必要があり、空気浄化負荷の電源通電時間は湿度により取得されるので、加湿装置の作用の下で、室内環境の湿度を上昇させ、湿度が既定湿度より高い時、ステップＳ５０を実行し、即ち、前記空気浄化負荷を連続的に運転させる。例えば、前記既定汚染濃度が５０ｕｇ／ｍ３で、前記既定湿度が５０％であり、室内環境の汚染濃度が５０ｕｇ／ｍ３より大きく、室内環境の湿度が５０％より小さい時、先ず、湿度によって空気浄化負荷の電源通電時間を取得してかつ電源通電時間と電源切断時間に基づいて間欠的に運転するように空気浄化負荷を制御し、同時に、エアコンが加湿機能を起動してかつエアコンが置かれている環境の湿度を取得し、加湿装置により部屋内の環境を加湿することで、室内環境の湿度を上昇させて、空気中の浮遊粉塵粒子状物質を空気浄化負荷に集め、粒子状物質が吸気とともにフィルタ上に吸着されやすくする。その後、湿度が５０％より大きい時、空気浄化負荷を連続的に運転させる。室内空気品質が良くない時、エアコンの加湿機能を起動することで、空気浄化負荷に連続的に運転する条件を作って、室内空気品質を保障しやすくする。エアコンが置かれている室内環境の湿度が既定湿度より低く、前記汚染濃度が既定汚染濃度より低い時、空気浄化負荷のエネルギー消費を節約して、かつエアコンが置かれている環境の空気品質を向上させるために、この際、直接室内環境の湿度により空気浄化負荷の電源通電時間と電源通電時間を取得して、かつ電源通電時間と電源切断時間によって、間欠的に運転するように空気浄化負荷を制御する。
【００５７】
本実施例が提案する技術案では、湿度が既定湿度より高い時、この際に室内環境の浮遊粉塵粒子状物質が比較的少なく、連続的に運転するように空気浄化負荷を制御することで、室内環境の空気品質をさらに向上させることを容易にする。
【００５８】
図１０を参照し、図１０は本願のエアコンの制御方法の第九実施例であり、第七実施例に基づいて、前記ステップＳ３００はさらに、室内ファンの回転速度を検知するステップＳ３２０と、前記回転速度が既定回転速度より小さいか否かを判断するステップＳ３３０と、前記回転速度が既定回転速度より小さい時、前記回転速度によって調節係数を取得するステップＳ３４０と、前記湿度に基づいて電源通電時間と電源切断時間を取得して、前記調節係数によって前記電源通電時間と電源切断時間を調整するステップＳ３５０と、調整後の前記電源通電時間と電源切断時間を前記空気浄化負荷の電源通電時間と電源切断時間とするステップＳ３６０とを含む。
【００５９】
湿度が既定湿度より低い時、間欠的に運転するように空気浄化負荷を制御して、そして室内ファンのパラメーターを調べて室内ファンの回転速度を取得して、前記回転速度と既定回転速度との間の大小関係を比較する必要がある。既定回転速度は最大回転速度の８０％段階であり、回転速度が既定回転速度より小さい場合、この際室内ファンの吸気口における吸気量が比較的小さく、即ち、吸気口では、空気浄化負荷における粒子状物質に対する吸引力が比較的小さく、粒子状物質をフィルタ上に移動させることが難しく、壁面が黒くなる現象に繋がりやすい。このため、この際に、前記回転速度に基づいて調節係数を取得して、調節係数は０．３〜０．９の間にあり、前記湿度によって空気浄化負荷の電源通電時間を取得した上で調節係数をかけて調整後の電源通電時間を得て、そして空気浄化負荷が間欠的に運転する周期から調節後の電源通電時間を引くことで、調節後の空気浄化負荷の電源切断時間を得る。そして調節後の電源通電時間と電源切断時間で間欠的に運転するように空気浄化負荷を制御して、空気浄化負荷がマイナスイオンを少なめに生成するようにして、大量の粒子状物質が空気浄化負荷に集まってかつ全てはフィルタに移動できないことにより壁面が黒くなりやすい現象を避ける。
【００６０】
前記回転速度が既定回転速度より大きい時、前記湿度に基づいて電源通電時間と電源切断時間を取得することは、説明しておく必要がある。回転速度が既定回転速度より大きい時、吸気口の吸気量が比較的大きく、即ち吸気口における吸引力が比較的大きく、空気浄化負荷において集まる粒子状物質は何れも吸気に伴ってフィルタ上に移動できる。そして、間欠的に運転するように空気浄化負荷を制御して、かつ湿度に基づいて空気浄化負荷が間欠的に運転する時の電源通電時間と電源切断時間を取得して、室内空気品質を保証すると同時に、空気浄化負荷のエネルギー消費を減少させる。
【００６１】
本発明の実施例において、湿度が既定湿度より低いことを条件に、エアコンの室内ファンの回転速度を取得して、回転速度が既定回転速度より小さい時、調節係数を取得し、例えば、調節係数は０．３〜０．９の間にある。湿度に基づいて空気浄化負荷の電源通電時間を取得してかつ調節係数をかけることで、空気浄化負荷が間欠的に運転する電源通電時間と電源切断時間を得る。つまり、本来の空気浄化負荷の電源通電時間を減衰させ、空気浄化負荷の電源通電運転の時間を減少させ、空気浄化負荷において集まる粒子状物質を減少させて、粒子状物質が壁面へと拡散することで壁面が黒くなる現象の可能性を減少させる。空気浄化負荷の電源通電時間を減衰させることにより、制御が正確になり、実現しやすくなる。
【００６２】
本願の実施例はさらにエアコンを提案する。前記エアコンはプロセッサー、メモリー及び前記メモリーに記憶されて且つ前記プロセッサー上で実行できるエアコンの制御プログラムを含み、前記エアコンの制御プログラムが前記プロセッサーにより実行される時、上記のような実施例に記載のエアコンの制御方法のステップを実現する。
【００６３】
本願はさらにコンピュータ読み取り可能な記憶媒体を提案する。前記コンピュータ読み取り可能な記憶媒体にはエアコンの制御プログラムが記憶されており、前記エアコンの制御プログラムがプロセッサーにより実行された時は上記の実施例に記載のエアコンの制御方法の各ステップを実現する。
【００６４】
本文において、「含む」、「含める」という術語或いは何れの他のバリエーションは非排他的な包含を意味することで、一連の要素の過程、方法、物品或いはシステムがそれらの要素だけでなく、明確に列挙されていない他の要素を含み、或いはこの種の過程、方法、物品或いはシステムに固有の要素を含むようにする。それ以上の制限がない状況で、語句「一つの．．．を含む」により限定される要素は、当該要素を含む過程、方法、物品或いはシステムの中に他の同じ要素が存在することを除外しない。
【００６５】
上記本願の実施例の番号は説明用だけであって、実施例の優劣を表すものではない。
【００６６】
以上の実施態様の説明を通して、当業者ははっきりと、上記の実施例の方法はソフトウェアに必要な汎用ハードウェアプラットフォームを加える方法（勿論ハードウェアによることも可能であるが、多くの場合では前者がより良い実施方法）で実現できることを理解できる。このような理解に基づいて、本願の技術案は、本質としては、或いは例示的技術に対し貢献する部分は、ソフトウェア製品の形式で体現できる。当該コンピュータソフトウェア製品は上記のような記憶媒体（例えばＲＯＭ／ＲＡＭ、磁気ディスク、光ディスク）の中に記憶でき、一台の端末機器（携帯電話、コンピュータ、サーバー、エアコン、或いはネットワーク機器等でもよい）に本願の各実施例で説明する方法を実行させる幾つかの命令を含む。
【００６７】
以上は本願の実施例にすぎず、それによって本願の保護範囲を制限するわけではない。本願の明細書及び図面の内容を利用してなされた等価構造或いは等価流れ変換、或いは直接または間接的な他の関連する技術分野への応用は、同じ理由で本願の特許の保護範囲に含まれる。
【図１】
2021532331.tif 000003
【図２】
2021532331.tif 000004
【図３】
2021532331.tif 000005
【図４】
2021532331.tif 000006
【図５】
2021532331.tif 000007
【図６】
2021532331.tif 000008
【図７】
2021532331.tif 000009
【図８】
2021532331.tif 000010
【図９】
2021532331.tif 000011
【図１０】
2021532331.tif 000012
【国際調査報告】
2021532331.tif 000013
2021532331.tif 000014
2021532331.tif 000015
2021532331.tif 000016